(57)【要約】【課題】被記録媒体を加圧して粘着性ベルトに貼り付ける際の貼り付け不良を抑制する。【解決手段】被記録媒体Ｐを載置させる粘着性ベルト１０を有し、該被記録媒体Ｐを間欠搬送可能な搬送機構３と、粘着性ベルト１０の移動方向Ｅと交差する方向Ｂに回転軸２０を有し、被記録媒体Ｐを加圧して該粘着性ベルト１０の粘着層１０ａに貼り付ける加圧ローラー１２と、粘着性ベルト１０の移動方向Ｅと交差する方向Ｂに回転軸２１を有し、該粘着性ベルト１０の粘着層１０ａに当接して洗浄する洗浄ローラー１３と、を備え、加圧ローラー１２と粘着性ベルト１０の粘着層１０ａとの該粘着性ベルト１０の移動方向Ｅにおける接触直線距離Ｄ１は、洗浄ローラー１３と粘着性ベルト１０の粘着層１０ａとの該粘着性ベルト１０の移動方向Ｅにおける接触直線距離Ｄ２以下である。【選択図】図１
2014185004.tif 000002
【特許請求の範囲】
【請求項１】
被記録媒体を載置させる粘着性ベルトを有し、該被記録媒体を間欠搬送可能な搬送機構と、
前記粘着性ベルトの移動方向と交差する方向に回転軸を有し、前記被記録媒体を加圧して該粘着性ベルトの粘着層に貼り付ける加圧ローラーと、
前記粘着性ベルトの移動方向と交差する方向に回転軸を有し、該粘着性ベルトの粘着層に当接して洗浄する洗浄ローラーと、を備え、
前記加圧ローラーと前記粘着性ベルトの粘着層との該粘着性ベルトの移動方向における接触直線距離Ｄ１は、前記洗浄ローラーと前記粘着性ベルトの粘着層との該粘着性ベルトの移動方向における接触直線距離Ｄ２以下であることを特徴とする記録装置。
【請求項２】
請求項１に記載の記録装置において、
前記加圧ローラーを、前記粘着性ベルトの移動方向と沿う方向に、前記Ｄ２以上の距離、移動させることが可能な移動機構を備えることを特徴とする記録装置。
【請求項３】
請求項１又は２に記載の記録装置において、
前記洗浄ローラーは、複数設けられていることを特徴とする記録装置。
【請求項４】
請求項３に記載の記録装置において、
前記洗浄ローラーは、前記被記録媒体の間欠搬送に伴う１回あたりの前記粘着性ベルトの移動距離の非整数倍の間隔で、複数設けられていることを特徴とする記録装置。
【請求項５】
被記録媒体を載置させる粘着性ベルトを有し、該被記録媒体を間欠搬送可能な搬送機構と、
前記粘着性ベルトの移動方向と交差する方向に回転軸を有し、前記被記録媒体を加圧して該粘着性ベルトの粘着層に貼り付ける加圧ローラーと、
前記粘着性ベルトの移動方向と交差する方向に回転軸を有し、該粘着性ベルトの粘着層に当接して洗浄する洗浄ローラーと、を備え、
前記加圧ローラーの半径をＲ１とし、前記加圧ローラーの回転中心から前記粘着性ベルトの前記被記録媒体を載置させる面と反対側の面までの距離をＬ１とし、
前記洗浄ローラーの半径をＲ２とし、前記洗浄ローラーの回転中心から前記粘着性ベルトの前記被記録媒体を載置させる面と反対側の面までの距離をＬ２とし、
前記粘着性ベルトの厚さをＴとした際に、下記式１を満たすことを特徴とする記録装置。
（式１）
２・（Ｒ１２−（Ｌ１−Ｔ）２）１／２  ≦  ２・（Ｒ２２−（Ｌ２−Ｔ）２）１／２
【発明の詳細な説明】
【技術分野】
【０００１】
本発明は、被記録媒体を移動式ベルトに載置して搬送する搬送機構を備える記録装置に関する。
【背景技術】
【０００２】
従来から、被記録媒体を移動式ベルトに載置して搬送する搬送機構を備える記録装置が使用されている。このような記録装置のうち、移動式ベルトとして被記録媒体の載置面に該被記録媒体を剥離可能に接着して保持する粘着剤が塗られた粘着性ベルトを備える記録装置が開示されている。  
例えば、特許文献１には、被記録媒体を粘着固定して搬送する無端ベルトと該無端ベルトの周面が高分子多孔質体からなる洗浄ローラーを備える記録装置が開示されている。
【０００３】
また、このような粘着性ベルトを備える記録装置においては、被記録媒体を粘着性ベルトに皺や浮き等を発生させることなく貼り付けるために、加圧ローラー等の加圧部が設けられているのが一般的である。
【先行技術文献】
【特許文献】
【０００４】
【特許文献１】特開平１１−１９２６９４号公報
【発明の概要】
【発明が解決しようとする課題】
【０００５】
被記録媒体の搬送方向と交差する方向に記録ヘッドを往復走査させてインクを吐出して記録する記録装置においては、記録ヘッドの往復走査に対応して被記録媒体を搬送する必要があるので、被記録媒体の搬送は間欠搬送となる。  
しかしながら、このような構成の記録装置であって、洗浄ローラーが設けられた記録装置においては、被記録媒体の間欠搬送に伴い、粘着性ベルトにおいて洗浄ローラーによる当接時間が長い部分（停止した状態で洗浄ローラーから押圧される部分）と洗浄ローラーによる当接時間が短い部分（移動状態で洗浄ローラーから押圧される部分）とが発生していた。そのため、該洗浄ローラーによる当接時間が長い部分は、当接時間が短い部分よりも該洗浄ローラーからの押圧力を長い時間受けることとなり、該当接時間が長い部分に凹みが発生する場合があった。そして、該粘着性ベルトの粘着層の凹みに起因して、被記録媒体を加圧ローラーにより加圧して粘着性ベルトに貼り付ける際に、貼り付け不良が発生する場合があった。  
なお、特許文献１には、粘着性ベルトの粘着層の凹みに起因する、被記録媒体の粘着性ベルトへの貼り付け不良を抑制することに関する記載はない。
【０００６】
そこで、本発明の目的は、被記録媒体を加圧して粘着性ベルトに貼り付ける際の貼り付け不良を抑制することである。
【課題を解決するための手段】
【０００７】
上記課題を解決するための本発明の第１の態様の記録装置は、被記録媒体を載置させる粘着性ベルトを有し、該被記録媒体を間欠搬送可能な搬送機構と、前記粘着性ベルトの移動方向と交差する方向に回転軸を有し、前記被記録媒体を加圧して該粘着性ベルトの粘着層に貼り付ける加圧ローラーと、前記粘着性ベルトの移動方向と交差する方向に回転軸を有し、該粘着性ベルトの粘着層に当接して洗浄する洗浄ローラーと、を備え、前記加圧ローラーと前記粘着性ベルトの粘着層との該粘着性ベルトの移動方向における接触直線距離Ｄ１は、前記洗浄ローラーと前記粘着性ベルトの粘着層との該粘着性ベルトの移動方向における接触直線距離Ｄ２以下であることを特徴とする。
【０００８】
本態様によれば、前記加圧ローラーと前記粘着性ベルトの粘着層との該粘着性ベルトの移動方向における接触直線距離Ｄ１は、前記洗浄ローラーと前記粘着性ベルトの粘着層との該粘着性ベルトの移動方向における接触直線距離Ｄ２以下である。  
このため、前記洗浄ローラーと当接することにより前記粘着性ベルトの移動方向に長さＤ２の凹みが前記粘着性ベルトの粘着層に発生しても、Ｄ１はＤ２以下であるため、この凹みに前記加圧ローラーの前記粘着性ベルトとの接触部は入り込める。  
すなわち、前記粘着性ベルトの粘着層に前記洗浄ローラーとの当接に由来する凹みが生じても、前記加圧ローラーは該凹みが発生した部分において被記録媒体を加圧して粘着性ベルトの粘着層に貼り付けることができる。  
したがって、被記録媒体を加圧して粘着性ベルトの粘着層に貼り付ける際の貼り付け不良を抑制することができる。
【０００９】
本発明の第２の態様の記録装置は、前記第１の態様において、前記加圧ローラーを、前記粘着性ベルトの移動方向と沿う方向に、前記Ｄ２以上の距離、移動させることが可能な移動機構を備えることを特徴とする。
【００１０】
本態様によれば、前記加圧ローラーは、前記粘着性ベルトの移動方向と沿う方向に、前記Ｄ２以上の距離、移動可能である。このため、前記粘着性ベルトの移動方向に長さＤ２の凹みが前記粘着性ベルトの粘着層に発生しても、前記加圧ローラーを移動させることにより、前記粘着性ベルトの移動方向における該凹みの一方の端部から他方の端部まで被記録媒体を加圧して粘着性ベルトの粘着層に貼り付けることが可能である。  
したがって、被記録媒体を加圧して粘着性ベルトの粘着層に貼り付ける際の貼り付け不良をさらに効果的に抑制することができる。
【００１１】
本発明の第３の態様の記録装置は、前記第１又は第２の態様において、前記洗浄ローラーは、複数設けられていることを特徴とする。
【００１２】
本態様によれば、前記洗浄ローラーは複数設けられているので、例えば、高速で記録する場合等においても、前記粘着性ベルトを効果的に洗浄できる。
【００１３】
本発明の第４の態様の記録装置は、前記第３の態様において、前記洗浄ローラーは、前記被記録媒体の間欠搬送に伴う１回あたりの前記粘着性ベルトの移動距離の非整数倍の間隔で、複数設けられていることを特徴とする。
【００１４】
本態様によれば、前記洗浄ローラーは、前記被記録媒体の間欠搬送に伴う１回あたりの前記粘着性ベルトの移動距離の非整数倍の間隔で、複数設けられている。このため、前記被記録媒体の間欠搬送に伴う前記粘着性ベルトの移動により、停止した状態で洗浄ローラーと当接する部分を前記粘着性ベルトに偏って存在させることを抑制することができる。したがって、停止した状態で洗浄ローラーと当接する部分を前記粘着性ベルトに偏って存在させることによって生じ得る前記粘着性ベルトの粘着層の偏摩耗を抑制することができる。
【００１５】
本発明の第５の態様の記録装置は、被記録媒体を載置させる粘着性ベルトを有し、該被記録媒体を間欠搬送可能な搬送機構と、前記粘着性ベルトの移動方向と交差する方向に回転軸を有し、前記被記録媒体を加圧して該粘着性ベルトの粘着層に貼り付ける加圧ローラーと、前記粘着性ベルトの移動方向と交差する方向に回転軸を有し、該粘着性ベルトの粘着層に当接して洗浄する洗浄ローラーと、を備え、前記加圧ローラーの半径をＲ１とし、前記加圧ローラーの回転中心から前記粘着性ベルトの前記被記録媒体を載置させる面と反対側の面までの距離をＬ１とし、前記洗浄ローラーの半径をＲ２とし、前記洗浄ローラーの回転中心から前記粘着性ベルトの前記被記録媒体を載置させる面と反対側の面までの距離をＬ２とし、前記粘着性ベルトの厚さをＴとした際に、下記式１を満たすことを特徴とする。  
（式１）  
２・（Ｒ１２−（Ｌ１−Ｔ）２）１／２  ≦  ２・（Ｒ２２−（Ｌ２−Ｔ）２）１／２
【００１６】
前記加圧ローラーと前記粘着性ベルトの粘着層との該粘着性ベルトの移動方向における接触直線距離Ｄ１は上記式１の左辺で表すことができ、前記洗浄ローラーと前記粘着性ベルトの粘着層との該粘着性ベルトの移動方向における接触直線距離Ｄ２は上記式１の右辺で表すことができる。  
本態様によれば、上記Ｒ１、Ｒ２、Ｌ１、Ｌ２及びＴが上記式１を満たすようにすることにより、前記粘着性ベルトの粘着層に前記洗浄ローラーとの当接に由来する凹みが生じても、前記加圧ローラーは該凹みが発生した部分において被記録媒体を加圧して粘着性ベルトに貼り付けることができる。  
したがって、被記録媒体を加圧して粘着性ベルトに貼り付ける際の貼り付け不良を抑制することができる。
【図面の簡単な説明】
【００１７】
【図１】本発明の実施例１に係る記録装置を表す概略側面図。
【図２】本発明の実施例１に係る記録装置の加圧ローラーを表す概略側面図。
【図３】本発明の実施例１に係る記録装置の洗浄ローラーを表す概略側面図。
【図４】本発明の実施例２に係る記録装置を表す概略側面図。
【発明を実施するための形態】
【００１８】
［実施例１］（図１〜図３）
以下に、本発明の実施例に係る記録装置について、添付図面を参照して詳細に説明する。  
最初に、本発明の実施例１に係る記録装置について説明する。  
図１は本発明の実施例１に係る記録装置１の概略側面図を表している。
【００１９】
本実施例の記録装置１は、記録を行うための被記録媒体Ｐのロールｒ１を繰り出すことが可能な繰出部２を備えている。また、粘着剤からなる粘着層１０ａ（図２参照）が形成された支持面Ｆ１で被記録媒体Ｐを支持する粘着性ベルト１０により被記録媒体Ｐを搬送方向Ａに搬送する搬送機構３を備えている。また、被記録媒体Ｐの搬送方向Ａと交差する交差方向Ｂに記録ヘッド７を往復走査させて記録する記録機構４を備えている。また、粘着性ベルト１０の洗浄機構１５を備えている。さらに、被記録媒体Ｐを巻き取る巻取軸１７と巻き取られている被記録媒体Ｐを切断するカッター１６とを有する巻取機構１８を備えている。
【００２０】
繰出部２は、記録を行うための被記録媒体Ｐのロールｒ１のセット位置を兼ねる回転軸５を備え、回転軸５にセットされたロールｒ１から従動ローラー６を介して被記録媒体Ｐを搬送機構３に繰り出すことが可能な構成となっている。被記録媒体Ｐを搬送機構３に繰り出す際、回転軸５は回転方向Ｃに回転する。なお、本実施例の記録装置１は被記録媒体Ｐとしてロール式の被記録媒体を使用しているが、このようなロール式の被記録媒体を使用する記録装置に限定されない。
【００２１】
搬送機構３は、繰出部２から繰り出された被記録媒体Ｐを載置して搬送する粘着性ベルト１０と、粘着性ベルト１０を移動させる搬送ローラー８と従動ローラー９を備えている。被記録媒体Ｐは粘着性ベルト１０の移動方向Ｅと交差する方向（交差方向Ｂ）に回転軸を有する加圧ローラー１２により粘着性ベルト１０の支持面Ｆ１（粘着層１０ａ）に加圧されて貼り付けられて載置される。なお、被記録媒体Ｐを搬送する際、搬送ローラー８は回転方向Ｃに回転する。これに伴い、粘着性ベルト１０は移動方向Ｅに移動する。
【００２２】
また、搬送機構３は、加圧ローラー１２を、粘着性ベルト１０の移動方向Ｅと沿う方向に、前記洗浄ローラーと前記粘着性ベルトの接着層１０ａとの該粘着性ベルトの移動方向における接触直線距離Ｄ２以上の距離、移動させることが可能な移動機構１９を備える。なお、該Ｄ２については後述する。
【００２３】
記録機構４は、記録ヘッド７と該記録ヘッド７を搭載する不図示のキャリッジと、該キャリッジを交差方向Ｂに往復移動させる不図示のキャリッジモーターを有している。なお、図１において交差方向Ｂは紙面に対して垂直方向である。  
記録の際、記録ヘッド７を往復走査させて記録するが、記録走査中（記録ヘッドの移動中）は、搬送機構３は被記録媒体Ｐの搬送を停止させる。別の表現をすると、記録の際、記録ヘッド７の往復走査と被記録媒体Ｐの搬送は交互に行われる。すなわち、記録の際、記録ヘッド７の往復走査に対応して、搬送機構３は被記録媒体Ｐを間欠搬送させている。
【００２４】
粘着性ベルト１０の洗浄機構１５は、粘着性ベルト１０の移動方向Ｅと交差する方向（交差方向Ｂ）に回転軸を有する洗浄ローラー１３と、洗浄ローラー１３に付着したインク等を洗浄するための洗浄剤が入ったトレイ１４と、を有する。
【００２５】
巻取機構１８は、記録がなされ、従動ローラー１１を介して搬送機構３から搬送された被記録媒体Ｐを巻き取る機構であり、巻取軸１７に巻き取り用の紙管等をセットしてこれに該被記録媒体Ｐを巻き付けていくことにより、被記録媒体Ｐのロールｒ２として巻き取ることができる。
【００２６】
次に、加圧ローラー１２と粘着性ベルト１０の粘着層１０ａとの該粘着性ベルト１０の移動方向Ｅにおける接触直線距離Ｄ１と、洗浄ローラー１３と粘着性ベルト１０の粘着層１０ａとの該粘着性ベルト１０の移動方向Ｅにおける接触直線距離Ｄ２との関係について説明する。  
図２は本実施の記録装置１の加圧ローラー１２を表す概略側面図であり、図３は本実施例の記録装置１の洗浄ローラー１３を表す概略側面図である。
【００２７】
図２は、粘着性ベルト１０の粘着層１０ａに被記録媒体Ｐを載置させていない状態において、加圧ローラー１２を粘着性ベルト１０の粘着層１０ａに当接させた状態を表している。加圧ローラー１２は、粘着性ベルト１０の移動方向Ｅと交差する交差方向Ｂに回転軸（回転中心２０）を有し、被記録媒体Ｐを加圧して該粘着性ベルト１０の粘着層１０ａに貼り付けることが可能である。
【００２８】
加圧ローラー１２の半径をＲ１、加圧ローラー１２の回転中心２０から粘着性ベルト１０の被記録媒体Ｐを載置させる支持面Ｆ１と反対側の面Ｆ２までの距離をＬ１とし、粘着性ベルト１０の厚さをＴとすると、加圧ローラー１２と粘着性ベルト１０の粘着層１０ａとの該粘着性ベルト１０の移動方向Ｅにおける接触直線距離Ｄ１は、２・（Ｒ１２−（Ｌ１−Ｔ）２）１／２とみなすことができる。  
これは、図２中の斜線で示された三角形α１が直角三角形であり、最も長い辺がＲ１であり、粘着性ベルト１０の移動方向Ｅに沿う方向の辺の長さが（Ｄ１）／２で表され、粘着性ベルト１０の移動方向Ｅと直交する方向の辺の長さがＬ１−Ｔで表されるので、ピタゴラスの定理（三平方の定理）より、Ｒ１２＝（（Ｄ１）／２）２＋（Ｌ１−Ｔ）２となり、Ｄ１＝２・（Ｒ１２−（Ｌ１−Ｔ）２）１／２とすることができるためである。
【００２９】
図３は、洗浄ローラー１３を粘着性ベルト１０の粘着層１０ａに当接させた状態を表している。洗浄ローラー１３は、粘着性ベルト１０の移動方向Ｅと交差する交差方向Ｂに回転軸（回転中心２１）を有し、粘着性ベルト１０の粘着層１０ａに当接して該粘着性ベルト１０の粘着層１０ａを洗浄することが可能である。
【００３０】
洗浄ローラー１３の半径をＲ２、洗浄ローラー１３の回転中心２１から粘着性ベルト１０の被記録媒体Ｐを載置させる支持面Ｆ１と反対側の面Ｆ２までの距離をＬ２とし、粘着性ベルト１０の厚さをＴとすると、洗浄ローラー１３と粘着性ベルト１０の粘着層１０ａとの該粘着性ベルト１０の移動方向Ｅにおける接触直線距離Ｄ２は、２・（Ｒ２２−（Ｌ２−Ｔ）２）１／２とみなすことができる。  
これは、図３中の斜線で示された三角形α２が直角三角形であり、最も長い辺がＲ２であり、粘着性ベルト１０の移動方向Ｅに沿う方向の辺の長さが（Ｄ２）／２で表され、粘着性ベルト１０の移動方向Ｅと直交する方向の辺の長さがＬ２−Ｔで表されるので、ピタゴラスの定理（三平方の定理）より、Ｒ２２＝（（Ｄ２）／２）２＋（Ｌ２−Ｔ）２となり、Ｄ２＝２・（Ｒ２２−（Ｌ２−Ｔ）２）１／２とすることができるためである。
【００３１】
本実施例の記録装置１では、Ｄ１はＤ２以下である。  
このため、洗浄ローラー１３と当接することにより粘着性ベルト１０の移動方向Ｅに長さＤ２の凹みが粘着性ベルト１０の粘着層１０ａに発生しても、Ｄ１はＤ２以下であるため、この凹みに加圧ローラー１２の粘着性ベルト１０との接触部は入り込める。  
すなわち、粘着性ベルト１０の粘着層１０ａに洗浄ローラー１３との当接に由来する凹みが生じても、加圧ローラー１２は該凹みが発生した部分において被記録媒体Ｐを加圧して粘着性ベルト１０の粘着層１０ａに貼り付けることができる。  
したがって、被記録媒体Ｐを加圧して粘着性ベルト１０の粘着層１０ａに貼り付ける際の貼り付け不良を抑制することができる。
【００３２】
なお、Ｄ１はＤ２以下であるということより、本実施例の記録装置１は下記式１を満たしている。  
（式１）  
２・（Ｒ１２−（Ｌ１−Ｔ）２）１／２  ≦  ２・（Ｒ２２−（Ｌ２−Ｔ）２）１／２
【００３３】
［実施例２］（図４）
次に、本発明の実施例２に係る記録装置について説明する。  
図４は本発明の実施例２に係る記録装置を表す概略側面図である。なお、上記実施例と共通する構成部材は同じ符号で示しており、詳細な説明は省略する。
【００３４】
本実施例の記録装置１は、洗浄ローラー１３を複数備える点で実施例１の記録装置１と相違する。  
本実施例の記録装置１は、洗浄ローラー１３を２つ備えている。そして、これらの洗浄ローラー１３は、被記録媒体Ｐの間欠搬送に伴う１回あたりの粘着性ベルト１０の移動距離の非整数倍の間隔Ｌ３を空けて設けられている。このような構成により、例えば、高速で記録する場合等においても、粘着性ベルト１０の粘着層１０ａを効果的に洗浄できる。そのうえ、被記録媒体Ｐの間欠搬送に伴う粘着性ベルト１０の移動により、停止した状態で洗浄ローラー１３と当接する部分を粘着性ベルト１０に偏って存在させることを抑制している。したがって、停止した状態で洗浄ローラー１３と当接する部分を粘着性ベルト１０に偏って存在させることによって生じ得る粘着性ベルト１０の粘着層１０ａの偏摩耗を抑制することができる構成となっている。  
なお、本実施例の記録装置１は洗浄ローラー１３を２つ備えているが、洗浄ローラー１３を３つ以上備える構成であってもよい。
【符号の説明】
【００３５】
１  記録装置、２  繰出部、３  搬送機構、４  記録機構、５  繰出部２の回転軸、
６  従動ローラー、７  記録ヘッド、８  搬送ローラー、９  従動ローラー、
１０  粘着性ベルト、１０ａ  粘着層、１１  従動ローラー、１２  加圧ローラー、
１３  洗浄ローラー、１４  トレイ、１５  洗浄機構、１６  カッター、
１７  巻取軸、１８  巻取機構、１９  加圧ローラー１２の移動機構、
２０  加圧ローラー１２の回転中心（回転軸）、
２１  洗浄ローラー１３の回転中心（回転軸）、
Ｄ１  加圧ローラー１２と粘着性ベルト１０の粘着層１０ａとの該粘着性ベルト１０の移動方向Ｅにおける接触直線距離、
Ｄ２  洗浄ローラー１３と粘着性ベルト１０の粘着層１０ａとの該粘着性ベルト１０の移動方向Ｅにおける接触直線距離、
Ｆ１  支持面、Ｆ２  支持面Ｆ１と反対側の面、
Ｌ１  加圧ローラー１２の回転中心２０から粘着性ベルト１０の被記録媒体Ｐを載置させる支持面Ｆ１と反対側の面Ｆ２までの距離、
Ｌ２  洗浄ローラー１３の回転中心２０から粘着性ベルト１０の被記録媒体Ｐを載置させる支持面Ｆ１と反対側の面Ｆ２までの距離、
Ｒ１  加圧ローラー１２の半径、Ｒ２  洗浄ローラー１３の半径、Ｐ  被記録媒体、
Ｔ  粘着性ベルト１０の厚さ
【図１】
2014185004.tif 000003
【図２】
2014185004.tif 000004
【図３】
2014185004.tif 000005
【図４】
2014185004.tif 000006